(57)【要約】      （修正有）【課題】木板の反りを防止し、重量の軽減化とコストを削減し、強度を安定させた間伐材使用スライド型看板・標示板を提供する。【解決手段】アルミ枠の両サイドに150mmの凹面を設け、間伐材木板120mm幅をアルミ枠に差し込んでスライドさせることにより、重量の軽減化とコスト削減、強度安定を図るなど技術的な改善を見た。また気象条件から生じるそりや歪み、カッテイング文字を直張りするために生じる損傷、字体の視認性についても、スライド型を考案し、差替えを可能にしたばかりではなく、間伐材木板の上下を噛み合わせて一体化させたことにより、軽くて強い間伐材看板・標示板に仕上げたものである。【選択図】図3
0003141425.tif 000002
【実用新案登録請求の範囲】
【請求項１】
福井県大野市産である杉、檜の間伐材とアルミ枠を組合せて使用し、従来型より重量を20〜40％軽量化、差替え可能なスライド制を導入、さらに価格を30〜50％削減した間伐材木板とアルミ材からなるスライド型看板・標示板。
【考案の詳細な説明】
【技術分野】
【０００１】
本考案は、アルミ枠の両サイドに凹面を設け、間伐材木板を凹面をはめて
スライドさせる技法を取り入れた看板・標示板である。アルミ枠と間伐材木
板並びに強度用部品であるアングル、アルミ後ろつなぎフラットバーを組合
わせて、相互に補強効果を高め、軽量化と強度を確保した作品で新たな技術
分野を開拓したものである。    
【背景技術】
【０００２】
本考案は、アルミ枠材の凹部開発と間伐材木板の上下を接合により反りを
防止し、スライド型を導入したことから再利用を可能にしたものである。    
【０００３】
全国的に間伐材である杉、檜の利用促進が展開され、各県自治体において
も公共工事の発注に当たり、間伐材の有効利用を促進するものである。
【０００４】
従来の間伐材使用看板・標示板は、製作、運搬、設置、撤収において複数
人数を要し、間伐材をビス、釘で止めていたことから反るなどの弊害を生じ
ていた。
【０００５】
本考案につき、最も技術を要することは、アルミ枠材の凹面巾150mmと
間伐材木板巾120mmの接合部分及び間伐材木板の上下接合部分を調節する
ことである。アルミ枠と間伐材木板の一体的な強度確保が重要である。
【特許文献１】実用新案権文献なし
【非特許文献１】なし
【考案の開示】
【考案が解決しようとする課題】
【０００６】
解決しようとする問題点は、アルミ枠材の凹面と間伐材木板の凸面を固定
スライドさせる場合、木板の反りを防止することが課題である。
【課題を解決するための手段】
【０００７】
アルミ枠の凹面に間伐材木板をスライドさせる場合、気象変化は常に間伐
材にそりや歪みを生じさせるため、点検と木板の差替えなどの措置を必要と
する。
【考案の効果】
【０００８】
本考案は、間伐材使用スライド型看板・標示板の製作、運搬、設置、撤収
の利便性、再利用、コスト軽減などにおいて実用的である。
【考案を実施するための最良の形態】
【０００９】
本考案は、広くアルミ枠材と間伐材との相対的な補強を促進し、経費節減、
再利用など経済効果に一石を投じるものである。また各種工事現場における
安全、安心、快適な環境の提供に貢献するものである。
【実施例１】
【００１０】
表１は、標準規格、標準価格及び従来の間伐材価格を示したものである。
【００１１】
表2は、標準字体及び標準サイズを示したものである。
【００１２】
表3は  標準規格識別を示したものである。
【００１３】
図1は、間伐材及びアルミ使用立面図、間伐材使用木板縦面図、間伐材使
用断面図を示したものである。
【００１４】
図２は、間伐材及びアルミ使用立面写真を示したものである。
【００１５】
図3は、アルミ用押さえ上枠平面図、同断面図及びアルミ用押さえ上枠正
面図、同断面図を示したものである。
【００１６】
図4は、間伐材及びアルミセット写真を示したものである。
【００１７】
図5は、強度用部品を示したものである。
【００１８】
図６は、全体図及び写真を示したものである
【００１９】
図７は、間伐材使用スライド型看板・標示板の注文に応じ、製作から引渡
しまでの系統図を示したものである。
【００２０】
【表１】
0003141425.tif 000003
【００２１】
【表２】
0003141425.tif 000004
【００２２】
【表３】
0003141425.tif 000005
【産業上の利用可能性】
【００２３】
各県自治体においては、各工事現場において間伐材使用看板・標示板の設置が義務化され、とくに最近の道路交通事情等から景観を含め視認性の高い間伐材の使用が不可欠であり、国民の安全、安心、快適な環境維持に貢献していくとともに、経済産業活動にも大きく寄与していくものである。
【図面の簡単な説明】
【００２４】
【図１】間伐材及びアルミ使用立面図、間伐材使用木板縦面図、間伐材使用断面図を示したもの
【図２】間伐材及びアルミ使用立面写真を示したもの
【図３】アルミ用押さえ上枠平面図、同断面図及びアルミ用押さえ上枠正面図、同断面図を示したもの
【図４】間伐材及びアルミセット写真を示したもの
【図５】強度用部品を示したもの
【図６】全体図及び写真を示したもの
【図７】間伐材使用スライド型看板・標示板の注文に応じ、製作から引渡しまでの系統図を示したもの
【図１】
0003141425.tif 000006
【図７】
0003141425.tif 000007
【図２】
0003141425.tif 000008
【図３】
0003141425.tif 000009
【図４】
0003141425.tif 000010
【図５】
0003141425.tif 000011
【図６】
0003141425.tif 000012
【手続補正書】
【提出日】平成19年12月11日(2007.12.11)
【手続補正１】
【補正対象書類名】実用新案登録請求の範囲
【補正対象項目名】全文
【補正方法】変更
【補正の内容】
【実用新案登録請求の範囲】
【請求項１】
福井県大野市産である杉、檜の間伐材（福井県リサイクル製品認定証間伐材）及びアル
ミ枠を組合せて使用し、各間伐材木板を固定することなくアルミ枠の凹部に移動しながら、上下に差替え可能にしたスライド型の間伐材木板とアルミ枠からなる標示板。
【手続補正３】
【補正対象書類名】明細書
【補正対象項目名】０００１
【補正方法】変更
【補正の内容】
【０００１】
本考案は、アルミ枠の両サイドに凹面を設け、間伐材木板を凹面をはめてスライドさせ
る技法を取り入れた標示板である。アルミ枠と間伐材木板並びに強度用部品であるアング
ル、アルミ後ろつなぎフラットバーを組合わせて、相互に補強効果を高め、軽量化と強度
を確保した作品で新たな技術分野を開拓したものである。    
【手続補正４】
【補正対象書類名】明細書
【補正対象項目名】０００４
【補正方法】変更
【補正の内容】
【０００４】
従来の間伐材使用標示板は、製作、運搬、設置、撤収において複数人数を要し、間伐材
をビス、釘で止めていたことから反るなどの弊害を生じていた。
【手続補正５】
【補正対象書類名】明細書
【補正対象項目名】０００８
【補正方法】変更
【補正の内容】
【０００８】
本考案は、間伐材使用スライド型看板・標示板の製作、運搬、設置、撤収の利便性、再
利用、コスト軽減などにおいて実用的である。
【手続補正６】
【補正対象書類名】明細書
【補正対象項目名】００１９
【補正方法】変更
【補正の内容】
【００１９】
図７は、間伐材使用スライド型標示板の注文に応じ、製作から引しまでの系統図を示
したものである。
【手続補正７】
【補正対象書類名】明細書
【補正対象項目名】００２０
【補正方法】変更
【補正の内容】
【００２０】
【表１】
0003141425.tif 000013
【手続補正８】
【補正対象書類名】明細書
【補正対象項目名】００２３
【補正方法】変更
【補正の内容】
【００２３】
各県自治体においては、各工事現場において間伐材使用標示板の設置が義務化され、とくに最近の道路交通事情等から景観を含め視認性の高い間伐材の使用が不可欠であり、国民の安全、安心、快適な環境維持に貢献していくとともに、経済産業活動にも大きく寄与していくものである。
【手続補正９】
【補正対象書類名】明細書
【補正対象項目名】００２４
【補正方法】変更
【補正の内容】
【００２４】
【図１】間伐材及びアルミ使用立面図、アルミ組立図、間伐材使用木板スライド要領図、間伐材使用木板縦面図、間伐材使用支柱断面図を示したもの
【手続補正１０】
【補正対象書類名】明細書
【補正対象項目名】００２４
【補正方法】変更
【補正の内容】
【００２４】
【図６】全体図を示したもの
【手続補正１１】
【補正対象書類名】明細書
【補正対象項目名】００２４
【補正方法】変更
【補正の内容】
【００２４】
【図７】間伐材使用スライド型標示板の注文に応じ、製作から引渡しまでの系統図を示したもの
【手続補正１２】
【補正対象書類名】図面
【補正対象項目名】図１
【補正方法】変更
【補正の内容】
【図１】
0003141425.tif 000014
【手続補正１３】
【補正対象書類名】図面
【補正対象項目名】図６
【補正方法】変更
【補正の内容】
【図６】
0003141425.tif 000015
【手続補正１４】
【補正対象書類名】図面
【補正対象項目名】図７
【補正方法】変更
【補正の内容】
【図７】
0003141425.tif 000016
【手続補正書】
【提出日】平成20年1月28日(2008.1.28)
【手続補正１】
【補正対象書類名】実用新案登録請求の範囲
【補正対象項目名】全文
【補正方法】変更
【補正の内容】
【実用新案登録請求の範囲】
【請求項１】
福井県大野市産である杉、檜の間伐材及びアルミ枠を組合せて使用し、各間伐材木板  を固定することなくアルミ枠の凹部に移動しながら、上下に差替え可能にしたスライド  型の間伐材木板とアルミ枠からなる標示板。
【手続補正書】
【提出日】平成20年1月28日(2008.1.28)
【手続補正１】
【補正対象書類名】手続補正書
【補正対象項目名】手続補正９
【補正方法】変更
【補正の内容】
【手続補正９】
【補正対象書類名】明細書
【補正対象項目名】００２４
【補正方法】変更
【補正の内容】
【００２４】
【図１】間伐材及びアルミ使用立面図、アルミ組立図、間伐材使用木板スライド要領図、        間伐材使用木板縦面図、間伐材使用支柱断面図を示したもの
【図２】間伐材及びアルミ使用立面写真を示したもの
【図３】アルミ用押さえ上枠平面図、同断面図及びアルミ用押さえ上枠正面図、同断面図        を示したもの
【図４】間伐材及びアルミセット写真を示したもの
【図５】強度用部品を示したもの
【図６】全体図を示したもの
【図７】間伐材使用スライド型標示板の注文に応じ、製作から引渡しまでの系統図を示し        たもの
【手続補正２】
【補正対象書類名】手続補正書
【補正対象項目名】手続補正１０
【補正方法】削除
【補正の内容】
【手続補正３】
【補正対象書類名】手続補正書
【補正対象項目名】手続補正１１
【補正方法】削除
【補正の内容】